(57)【要約】【課題】可動式のパネル部材が使用可能な状態になったときにも、装置やダッシュボード等に設けられた操作部材、表示部材の機能を実現することが可能な情報表示装置及び情報表示方法等を提供する。【解決手段】表示画面を有する可動式のパネル部材を備えた情報表示装置において、前記パネル部材の可動に起因して、全部又は一部が隠れることになる操作部材又は表示部材の機能を、前記表示画面上で実現するように制御する。【選択図】  図４
2004317637.tif 000002
【特許請求の範囲】
【請求項１】
表示画面を有する可動式のパネル部材を備えた情報表示装置において、
前記パネル部材の可動に起因して、全部又は一部が隠れることになる操作部材又は表示部材の機能を、前記表示画面上で実現するように制御する制御手段を備えることを特徴とする情報表示装置。
【請求項２】
請求項１に記載の情報表示装置において、
前記制御手段は、前記操作部材又は表示部材の外観と同一又は類似の外観を前記表示画面に表示することを特徴とする情報表示装置。
【請求項３】
請求項１に記載の情報表示装置において、
前記制御手段は、前記操作部材又は表示部材の表面寸法を変更して前記表示画面に表示することを特徴とする情報表示装置。
【請求項４】
請求項１乃至３の何れか一項に記載の情報表示装置において、
前記パネル部材の位置を検出する位置検出手段を備え、
前記制御手段は、前記検出された位置に応じて、前記操作部材又は表示部材の機能を、前記表示画面上で実現するように制御することを特徴とする情報表示装置。
【請求項５】
請求項１乃至４の何れか一項に記載の情報表示装置において、
ユーザからの表示切換指示を受付ける表示切換指示受付手段を備え、
前記制御手段は、前記表示切換指示が受付けられた場合に、前記操作部材又は表示部材の機能を、前記表示画面上で実現するように制御することを特徴とする情報表示装置。
【請求項６】
請求項１乃至５の何れか一項に記載の情報表示装置において、
前記パネル部材の可動を制御する可動制御手段を備えることを特徴とする情報表示装置。
【請求項７】
請求項１乃至６の何れか一項に記載の情報表示装置において、
前記パネル部材は、収納式のパネル部材であることを特徴とする情報表示装置。
【請求項８】
請求項１乃至７の何れか一項に記載の情報表示装置において、
前記パネル部材は、回転式のパネル部材であることを特徴とする情報表示装置。
【請求項９】
可動式のパネル部材の表示画面に情報を表示する情報表示方法において、
前記パネル部材の可動制御を行う工程と、
前記パネル部材の可動に起因して、全部又は一部が隠れることになる操作部材又は表示部材の機能を、前記表示画面上で実現するように制御する工程と、を備えることを特徴とする情報表示方法。
【請求項１０】
表示画面を有する可動式のパネル部材を備えたコンピュータを、
前記パネル部材の可動制御を行い、
前記パネル部材の可動に起因して、全部又は一部が隠れることになる操作部材又は表示部材の機能を、前記表示画面上で実現するように制御するように機能させることを特徴とする情報表示処理プログラム。
【請求項１１】
請求項１０に記載の情報表示処理プログラムがコンピュータ読み取り可能に記録されたことを特徴とする記録媒体。
【発明の詳細な説明】
【０００１】
【発明の属する技術分野】
本発明は、表示画面を有する可動式のパネル部材を備えた情報表示装置等の技術分野に関する。
【０００２】
【従来の技術】
近年、自動車等の車両内にカーオーディオ等の音響映像装置やナビゲーション装置等を搭載することが一般化しており、これらの装置の本体は、例えば車室内のダッシュボード（当該車室内にあって、運転席前方の計器パネル、助手席前方のグローブボックス部、及び当該計器パネルとグローブボックス部との間の部分を含む部分を言う。以下、同じ。）内、或いはその近傍に固定されるようになっている。そして、これらの装置の中で、表示画面を有する可動式のパネル部材（例えば、表示パネル）を備えたものが知られている。
【特許文献１】
特開２０００−２９４９３８公報
例えば、特許文献１には、表示パネルを未使用時には装置の収納部に収納すると共に使用時にはこれを引き出して起こすように回転させて展開する表示パネル駆動装置を有するナビゲーション装置が開示されている。かかる表示パネルの展開により、当該表示パネル内の一面に形成されている表示画面が乗員側に対向する位置となって当該表示パネルが使用可能な状態となる。
【０００３】
【発明が解決しようとする課題】
しかしながら、従来の可動式の表示パネル等のパネル部材を備えた装置では、当該パネル部材が使用可能な状態になったときに、当該パネル部材が、例えば、ナビゲーション装置等、或いは、車室のダッシュボード等に設けられている各種操作ボタン（操作スイッチ）等の操作部材や、表示器等の表示部材の全部又は一部を隠してしまい、乗員が、当該操作ボタンを操作できなくなったり（又は、操作しにくくなったり）、或いは、当該表示器を見ることができなくなったり（又は、見にくくなったり）するという不便があった。
【０００４】
そこで、本発明は、上記不便さの解消を一つの課題としてなされたもので、可動式のパネル部材の可動に起因して、装置やダッシュボード等に設けられた操作部材、表示部材が隠れることになっても、操作部材、表示部材の機能を満足させることが可能な情報表示装置及び情報表示方法等を提供することを目的する。
【０００５】
【課題を解決するための手段】
上記課題を解決するために、請求項１に記載の発明は、表示画面を有する可動式のパネル部材を備えた情報表示装置において、前記パネル部材の可動に起因して、全部又は一部が隠れることになる操作部材又は表示部材の機能を、前記表示画面上で実現するように制御する制御手段を備えることを特徴とする。
【０００６】
請求項９に記載の発明は、可動式のパネル部材の表示画面に情報を表示する情報表示方法において、前記パネル部材の可動制御を行う工程と、前記パネル部材の可動に起因して、全部又は一部が隠れることになる操作部材又は表示部材の機能を、前記表示画面上で実現するように制御する工程と、を備えることを特徴とする。
【０００７】
請求項１０に記載の発明は、表示画面を有する可動式のパネル部材を備えたコンピュータを、前記パネル部材の可動制御を行い、前記パネル部材の可動に起因して、全部又は一部が隠れることになる操作部材又は表示部材の機能を、前記表示画面上で実現するように制御するように機能させることを特徴とする。
【０００８】
請求項１１に記載の発明は、請求項１０に記載の情報表示処理プログラムがコンピュータ読み取り可能に記録されたことを特徴とする。
【０００９】
【発明の実施の形態】
以下、本発明の好適な実施の形態を添付図面に基づいて説明する。なお、以下の実施形態は、車載用ＡＶ（Ａｕｄｉｏ  Ｖｉｓｕａｌ）・ナビゲーション装置（以下、「ＡＶナビ装置」という）に対して本発明を適用した場合の実施形態である。
【００１０】
先ず、図１乃至図３を参照して、本実施形態にかかるＡＶナビ装置の構成及び機能を説明する。図１は、ＡＶナビ装置の概要構成例を示すブロック図である。図１に示すように、ＡＶナビ装置Ｓは、チューナ１、ナビゲーション部２、ディスク再生部３、ソース切換部４、音声処理部５、描画処理部６、可動・収納式のパネル部材としての表示パネル部７、可動制御手段としての可動制御部８、操作部材としての操作部９、表示部材としての表示部１０、記憶部１１、及び制御手段としてのシステム制御部１２を含んで構成されている。
【００１１】
チューナ１は、アンテナを介して入力されたテレビ信号（ＲＦ（Ｒａｄｉｏ  Ｆｒｅｑｕｅｎｃｙ）信号）を中間周波信号に変換、増幅し、増幅された中間周波信号をＡＭ（Ａｍｐｌｉｔｕｄｅ  Ｍｏｄｕｌａｔｉｏｎ）復調して映像信号（画像信号）を生成するとともに、増幅された中間周波信号をＦＭ（Ｆｒｅｑｕｅｎｃｙ  Ｍｏｄｕｌａｔｉｏｎ）復調して音声信号を生成するようになっている。このチューナ１より生成された映像信号及び音声信号は、ソース切換部４に出力される。
【００１２】
ナビゲーション部２は、ＧＰＳ（Ｇｌｏｂａｌ  Ｐｏｓｉｔｉｏｎｉｎｇ  Ｓｙｓｔｅｍ）衛星から放送された電波をアンテナを介して受信し現在の位置情報（緯度、経度）を検出するＧＰＳ受信部、速度センサ，加速度センサ，及びジャイロセンサ等を含むセンサ部、図示しないナビゲーションサーバとの間でアンテナ及び移動体通信網を介して無線通信を行いつつ地図情報，目的地までの経路案内情報等を乗員（ユーザ）に提供するためナビゲーション動作を行うナビゲーション処理部、などを備えている。乗員に提供される地図情報及び目的地までの経路案内情報等を含む映像信号及び音声信号は、ナビゲーションサーバ、若しくはナビゲーション処理部にて生成されソース切換部４に出力される。
【００１３】
ディスク再生部３は、ＤＶＤ（Ｄｉｇｉｔａｌ  Ｖｅｒｓａｔｉｌｅ  Ｄｉｓｃ）やＣＤ（Ｃｏｍｐａｃｔ  Ｄｉｓｃ）等のディスクを装填するための装填機構、所定のクランプ位置に載置されたディスクを一定の線速度で回転させるスピンドルモータ、ディスクに記録されたプログラム情報（楽曲データ、映像データ等）を光学的に読み取りＲＦ信号として出力するピックアップ、スピンドルモータ及びピックアップをサーボ制御するサーボ回路、ＲＦ信号に対して所定の復調処理及び誤り訂正処理等を行うとともに画像データ及び音声データ等を抽出して所定の復号処理を施して映像信号及び音声信号を生成する信号処理部、などを備えている。このディスク再生部３により生成された映像信号及び音声信号は、ソース切換部４に出力される。
【００１４】
ソース切換部４は、システム制御部１２からの指示の下、チューナ１、ナビゲーション部２、及びディスク再生部３から出力された音声信号を切換え音声処理部５に出力し、チューナ１、ナビゲーション部２、及びディスク再生部３から出力された映像信号を切換え描画処理部６に出力するようになっている。つまり、ソース切換部４は、チューナ１、ナビゲーション部２、及びディスク再生部３のソースのうち、どのソースから乗員に情報等を提供するかを選択するものである。また、例えば、ソース切換部４は、ディスク再生部３からの音声信号を選択し、かつ、ナビゲーション部２からの映像信号を選択するように設定することもできる。
【００１５】
音声処理部５は、ソース切換部４から出力された音声信号をディジタル／アナログ変換しアナログ音声信号を生成するＤＡＣ（Ｄｉｇｉｔａｌ−ｔｏ−Ａｎａｌｏｇ  Ｃｏｎｖｅｒｔｅｒ）と、そのアナログ音声信号を増幅するＡＭＰ（Ａｍｐｌｉｆｉｅｒ）と、増幅されたアナログ音声信号を音波として出力するスピーカと、を備えている。
【００１６】
描画処理部６は、ソース切換部４から出力された映像信号に基づき描画処理を行い表示パネル部７の表示画面上に映像を写し出すようになっている。また、描画処理部６は、表示パネル部７の表示画面上に写し出された映像に重畳、或いはその映像に代えてシステム制御部１２からの画像データ（例えば、チューナ１、ナビゲーション部２、及びディスク再生部３のうちのどのソースを選択するかの選択メニュー表示や選択ボタンの画像、或いは、後述する操作部及び表示部の画像）を表示画面上に表示するようになっている。
【００１７】
表示パネル部７は、表示画面を有する、例えば液晶表示部（ＬＣＤ：Ｌｉｑｕｉｄ  Ｃｒｙｓｔａｌ  Ｄｉｓｐｌａｙ）、及び表示画面上に設けられたタッチパネルを含むタッチパネル入力部、などを備えている。タッチパネルは、２枚の向かい合う透明な抵抗層（例えば、ＩＴＯ（酸化インジウム錫）等からなる）がガラスやフィルム等の透明基板に蒸着されて形成されている。タッチパネル入力部は、指やペン等でタッチパネル上に接触された座標位置を検出しＡ／Ｄ変換器にてＡ／Ｄ変換した後、その座標位置を示す信号をシステム制御部１２に出力するようになっている。これにより、例えば、表示画面に選択ボタンが表示されている状態で、その選択ボタン上のタッチパネルに接触すると、システム制御部１２は、座標位置を示す信号により選択ボタンへの接触を認識することができる。また、表示パネル部７の表示画面外の隅には、表示切換指示受付手段としての切換ボタンが設けられている。なお、かかる切換ボタンは、表示パネル部７が起動状態にある際に、表示画面内に常時操作可能に表示されていてもよい。
【００１８】
また、表示パネル部７は、未使用時にはＡＶナビ装置Ｓ本体（以下、「筐体」という）の収納部に収納されており、使用時にその収納部から引き出されるようになっている。
【００１９】
図２は、表示パネル部７が筐体の収納部から引き出された場合における表示パネル部７及び筐体の側面図の一例を示すものである。図２の例では、表示パネル部７を収納するための収納部Ｋが筐体ＫＫの下部に設けられている。
【００２０】
このような表示パネル部７の可動制御は、可動制御部８により行われる。
【００２１】
可動制御部８は、図２に示す軸Ｊを中心として表示パネル部７を回転させるための回転モータを駆動する回転モータドライバ（図示せず）と、表示パネル部７を引出レールＲと共に図２中左右移動させるためのスライダモータを駆動するスライダモータドライバ（図示せず）と、を備えており、これらの各ドライバは、システム制御部１２からの制御信号により夫々制御され、各々当該回転モータ及びスライダモータを駆動するようになっている。なお、可動制御部８に各ドライバを制御するためのマイコンを備えるようにしてもよい。
【００２２】
そして、当該表示パネル部７が使用される場合には、可動制御部８及びシステム制御部１２の制御により、表示パネル部７（軸Ｊを含む）が引出レールＲ上をスライドするようにして筐体ＫＫ内の収納部Ｋから引き出される。続いて、軸Ｊを中心として回転されることにより表示パネル部７が立ち上げられる。この動作により表示パネル部７の一面に形成されている表示画面が乗員側に対向する位置となって使用可能な状態となる。一方、使用後に表示パネル部７が収納される場合には、上述した一連の動作とは逆に、先ず表示パネル部７が回転されることにより収納部Ｋに引き込み可能な位置まで倒され、次に当該表示パネル部７が倒れている状態で軸Ｊと共に引出レールＲ上をスライドして筐体ＫＫ内の収納部Ｋに収納される。
【００２３】
また、図２に示すように、表示パネル部７の底面には、当該表示パネル部７が収納部Ｋから完全に引き出されたときに収納部Ｋの内側（表示パネル部７を収納するための開口部の下部内側）に接触することによりオンとなる位置検出手段としての引出スイッチＳｗ１が設けられており、当該引出スイッチＳｗ１はオンとなったときに引出信号をシステム制御部１２に出力するようになっている。また、例えば、使用者により立ち上げられる表示パネル部７の角度調整が行われた場合には、その角度調整に基づいて表示パネル部７を駆動する際の駆動パルス等の信号をシステム制御部１２に出力するようになっている。
【００２４】
操作部９及び表示部１０は、図２に示すように、筐体ＫＫ前面に設けられており、表示パネル部７が筐体ＫＫの収納部Ｋから引き出され使用状態になっている場合、当該表示パネル部７の背後に隠れることになる。一方、表示パネル部７が筐体ＫＫの収納部Ｋに収納されている場合、操作部９及び表示部１０は、乗員側に対向するように現れるようになる。
【００２５】
図３は、筐体前面の外観の一例を示す図である。図３に示すように、筐体ＫＫ前面には、ＤＶＤやＣＤ等のディスクをディスク再生部３に挿入するための挿入部Ｈ、操作部９、表示部１０、及び表示パネル部７を収納するための収納部Ｋが設けられている。
【００２６】
操作部９には、例えば、音声処理部５から出力される音声の音量を調整するための音量調整ボタン９ａ、チューナ１で受信されるテレビ信号のチャンネルを選択するためのチャンネル選択ボタン９ｂ、乗員に提供されるソースを切換えるためのソース切換ボタン９ｃ、ＣＤ，ＤＶＤをディスク再生部３から排出するためのイジェクトボタン９ｄ、及びＣＤ，ＤＶＤに記録されたプログラム情報の再生，停止及びスキップ等を行うための操作ボタン９ｅ，９ｆ、及び表示パネル部７を可動（引き出し及び収納）させるためのパネル可動ボタン９ｇなどのハード的な操作ボタン（操作スイッチ）が配置されている。このように配置された操作ボタンが、乗員により押下されると、その操作ボタンに対応する指示信号がシステム制御部１２に出力されるようになっている。
【００２７】
表示部１０には、ＡＶナビ装置Ｓの状態（例えば、現在選択されているソースや、ディスク再生部３が選択されている場合には再生等の状態）、チューナ１で選択されているチャンネル、ＣＤ再生中のトラックナンバー及び時間など、様々な情報を表示することができるようになっているおり、これらの情報の表示は、システム制御部１２により行われる。
【００２８】
記憶部１１は、例えば、ＶＲＡＭ（Ｖｉｄｅｏ  ＲＡＭ）等からなり、表示パネル部７の表示画面に表示するための選択メニュー表示、選択ボタンの画像、更には、操作部及び表示部の画像の画像データを記憶する。ここに記憶された画像データは、必要に応じて、システム制御部１２により読み出され、表示パネル部７の表示画面に表示されることになる。
【００２９】
システム制御部１２は、演算処理機能を有するＣＰＵ（Ｃｅｎｔｒａｌ  Ｐｒｏｃｅｓｓｉｎｇ  Ｕｎｉｔ）、各種データ，テーブル，及びプログラム（情報表示処理プログラムを含む：この情報表示処理プログラムは、例えば、インターネット上のサーバからダウンロードされるようにしてもよいし、ＣＤ−ＲＯＭ等の記録媒体に記録されて提供されるようにしてもよい。）を記憶するＲＯＭ（Ｒｅａｄ−Ｏｎｌｙ  Ｍｅｍｏｒｙ）、作業用ＲＡＭ（Ｒａｎｄｏｍ−Ａｃｃｅｓｓ  Ｍｅｍｏｒｙ）などを含んで構成されており、ＣＰＵがプログラムを実行することにより、ＡＶナビ装置Ｓの各構成要素を制御するようになっている。この制御において、システム制御部１２は、表示パネル部７のタッチパネル入力部からの座標位置を示す信号、及び操作部９からの操作信号に基づき、チューナ１における受信チャンネルの設定、ナビゲーション部２におけるナビゲーション動作、ディスク再生部３におけるディスク再生、ソース切換部４におけるソース切換、表示パネル部７の可動（引き出し及び収納）、及び表示パネル部７の表示画面への情報表示、などの制御を行う。
【００３０】
そして、システム制御部１２は、制御手段として機能することにより、表示パネル部７の可動に起因して（図２に示すように表示パネル部７が可動して使用状態になることによって）隠れる（本実施形態においては操作部９及び表示部１０の全部が隠れることになる）ことになる操作部９及び表示部１０の機能を、表示パネル部７の表示画面上で実現するように制御するようになっている。
【００３１】
ここで、操作部９の機能とは、操作部９における各種操作ボタンを乗員に示し、乗員により押下された操作ボタンに対応する指示信号をシステム制御部１２に出力するなどの機能をいう。また、表示部１０の機能とは、表示部１０において表示される情報を表示するなどの機能をいう。
【００３２】
次に、図４乃至図６を参照して、操作部９及び表示部１０の機能を表示パネル部７の表示画面上で実現する制御について説明する。
【００３３】
（実施例１）
図４は、操作部９及び表示部１０の機能を表示パネル部７の表示画面上で実現する場合の実施例１におけるシステム制御部１２の処理例を示すフローチャートである。なお、実施例１は、表示パネル部７が筐体ＫＫの収納部Ｋから引き出され使用状態になっており、ソースとしてナビゲーション部２が選択され、表示パネル部７の表示画面には地図情報が表示されている場合についての例である。
【００３４】
このような表示状態において、乗員が、例えば、表示パネル部７の右下隅に設けられた切換ボタン７ｃ（図５参照）を押下すると、システム制御部１２は、これに応じ（システム制御部１２が表示切換指示を受付け：ステップＳ１）、ソース切換部４に対し、ナビゲーション部２からの映像信号を、システム制御部１２からの画像データに切り換えるための指令（表示切換指令）を出力する（ステップＳ２）。
【００３５】
続いて、システム制御部１２は、記憶部１１に記憶されている操作部９及び表示部１０の画像の画像データを読み出し（ステップＳ３）、その画像データを描画処理部６に出力する（ステップＳ４）。これにより、かかる画像データは、描画処理部６にて描画処理が施され、その画像が表示パネル部７の表示画面に表示されることになる。
【００３６】
図５は、表示パネル部７の表示画面に表示された操作部及び表示部の画像表示例を示す図である。図５に示すように、表示パネル部７の表示画面Ｇには、図３に示す筐体ＫＫ前面に設けられた操作部９に対応する操作部７ａ、表示部１０に対応する表示部７ｂが表示されている。
【００３７】
このような表示状態において、システム制御部１２は、操作部９及び表示部１０の機能を、表示パネル部７の表示画面Ｇ上で実現するように制御処理する（ステップＳ５）。つまり、上述した操作部９の機能を、表示された操作部７ａにて実現し、表示部１０の機能を、表示された表示部７ｂにて実現するように制御する。例えば、システム制御部１２におけるＲＯＭには、操作部９における各種ボタンと操作部７ａにおける各種ボタンとが対応付けられたテーブル、及び表示部１０における表示要素と表示部７ｂにおける表示要素とが対応付けられたテーブルが記憶されており、システム制御部１２は、これらのテーブルを参照して当該制御を行う。例えば、乗員が操作部７ａにおける再生操作ボタン７５に接触（押下）した場合、表示パネル部７のタッチパネル入力部により再生操作ボタン７５の座標位置を示す信号がシステム制御部１２に出力され、システム制御部１２は、かかる信号に応じて、操作部９における再生操作ボタン９ｅが押下された時と同じ処理、即ち、ディスク再生部３に対し、ディスク（例えば、ＣＤ）再生指示を出力する。また、この際、システム制御部１２は、表示部１０に表示すべき情報（例えば、ＣＤ再生中）を、表示部７ｂに表示するように制御する。
【００３８】
このように、乗員は、例えば、ナビゲーション部２により提供された地図情報等を見ている最中に、ＣＤの音楽を聴きたい場合、表示パネル７を収納させることなく、ＣＤ再生操作を行うことができる。
【００３９】
そして、例えば、乗員が表示パネル部７の右下隅に設けられた切換ボタン７ｃを押下すると、システム制御部１２は、これに応じ（ステップＳ６）、ステップＳ５の制御処理を終了するとともに、ソース切換部４に対し、システム制御部１２からの画像データをナビゲーション部２からの映像信号に切り換えるための表示切換指令を出力する（ステップＳ７）。こうして、表示パネル部７の表示画面Ｇ上に地図情報が表示された状態に戻る。
【００４０】
（実施例２）
図６は、操作部９及び表示部１０の機能を表示パネル部７の表示画面上で実現する場合の実施例２におけるシステム制御部１２の処理例を示すフローチャートである。なお、実施例２は、表示パネル部７が筐体ＫＫの収納部Ｋに収納された状態になっている場合についての例である。
【００４１】
乗員が、例えば、筐体ＫＫ前面に設けられた操作部９におけるパネル可動ボタン９ｇを押下すると、システム制御部１２は、これに応じ（ステップＳ１１）、可動制御部８に対し、表示パネル部７を引き出すための可動指令を出力する（ステップＳ１２）。これにより、可動制御部８は、上述したように、表示パネル部７が筐体ＫＫ内の収納部Ｋから引き出されるように制御し、軸Ｊを中心として表示パネル部７が回転されるように制御する。こうして、表示パネル部７は使用状態になり、これにより、表示パネル部７の底面に設けられた引出スイッチＳｗ１がオンになり、引出信号がシステム制御部１２に出力される。
【００４２】
システム制御部１２は、引出信号を受けると（表示パネル部７が使用状態の位置にあることを認識）、これに応じて（ステップＳ１３）、記憶部１１に記憶されている操作部及び表示部の画像の画像データを読み出し（ステップＳ１４）、その画像データを描画処理部６に出力する（ステップＳ１５）。これにより、かかる画像データは、描画処理部６にて描画処理が施され、上記実施例１と同様、図５に示すように、その画像が表示パネル部７の表示画面Ｇに表示されることになる。このような表示状態において、システム制御部１２は、上記実施例１と同様、操作部９及び表示部１０の機能を、表示パネル部７の表示画面Ｇ上で実現するように制御処理する（ステップＳ１６）。なお、このような表示状態において、乗員が表示パネル部７に設けられた切換ボタン７ｃを押下すると、上記実施例１と同様、表示画面Ｇに表示される内容が他のソースからのものに切り換わることになる。
【００４３】
このように、表示パネル７を引き出される際に、操作部９及び表示部１０の代わりに、自動的に表示パネル部７の表示画面Ｇに操作部７ａ及び表示部７ｂが乗員に提示されることになるので、効率的である。
【００４４】
そして、乗員が、例えば、筐体ＫＫ前面に設けられた操作部９におけるパネル可動ボタン９ｇを再度押下すると、システム制御部１２は、これに応じ（ステップＳ１７）、ステップＳ１６の制御処理を終了するとともに、可動制御部８に対し、表示パネル部７を収納するための可動指令を出力する（ステップＳ１８）。
【００４５】
以上説明したように、上記実施形態によれば、表示パネル７の可動に起因して操作部９及び表示部１０が隠れることになっても、操作部９及び表示部１０の機能を、表示パネル７の表示画面Ｇに表示された操作部７ａ及び表示部７ｂで実現することができるので、操作部９の操作ができない（又は、操作しにくくなる）ことや、表示部１０を見ることができない（又は、見にくくなる）ことを解消することができる。従って、乗員（ユーザ）は、使用状態になっている表示パネル７をわざわざ収納させることなく、操作部９に対する同様の操作を操作部７ａにて行い、表示部１０と同様の情報を表示部７ｂにて見ることができる。
【００４６】
なお、上記実施形態においては、ＡＶナビ装置Ｓに備えられた操作部９及び表示部１０が隠れるようになる場合について説明したが、これに限定されるものではなく、車両側に設けられた計器パネル等における操作部材としての操作部、及び表示部材としての表示部が、表示パネル部７の可動に起因して隠れるようになる場合についても上記実施形態を適用することができる。以下に、この場合の実施形態について説明する。
【００４７】
図７は、表示パネル部７が筐体の収納部から引き出された場合における表示パネル部７、及び筐体の側面図の他の例を示すものである。図８は、ＡＶナビ装置と車両ＥＣＵ等の概要構成例を示すブロック図である。
【００４８】
図７の例は、表示パネル部７を収納するための収納部Ｋが筐体ＫＫの上部に設けられている点が図２の例とは異なるが、ＡＶナビ装置Ｓにおける構成及び機能は図１と同様である。従って、図８に示すＡＶナビ装置Ｓの各構成要素については、図１に示すＡＶナビ装置Ｓの各構成要素と同一の符号を付している。そして、図８の例では、ＡＶナビ装置Ｓのシステム制御部１２と、車両ＥＵＣ（Ｅｌｅｃｔｒｏｎｉｃ  Ｃｏｎｔｒｏｌ  Ｕｎｉｔ又は、Ｅｎｇｉｎｅ  Ｃｏｎｔｒｏｌ  Ｕｎｉｔ）１３とが通信バス１６を介して接続されており、相互にデータ通信を行うようになっている。さらに、車両ＥＵＣ１３には、車両側に設けられた計器パネル等における操作部１４及び表示部１５が接続されている。
【００４９】
車両ＥＵＣ１３は、演算処理機能を有するＣＰＵ，各種データ，テーブル，及びプログラムを記憶するＲＯＭ、作業用ＲＡＭなどを含んで構成されており、車両に設置された各センサからの信号や操作部１４からの指示信号を受け、例えば、空調（エアコン）、車両内の計器の制御、及び表示部１５への情報表示の制御等を行うものである。
【００５０】
この場合のＡＶナビ装置Ｓでは、表示パネル部７が可動して使用状態になった場合に、図７に示すように、収納部Ｋが筐体ＫＫの上部に設けられているため、車両側に設けられた計器パネル等における操作部１４及び表示部１５が隠れることになる。従って、システム制御部１２は、表示パネル部７の可動に起因して隠れることになる操作部１４及び表示部１５の機能を、表示パネル部７の表示画面上で実現するように制御するようになっている。この場合におけるシステム制御部１２の処理には、上記図４及び図６に示す処理を適用できる。また、この場合、記憶部１１には車両側に設けられた操作部１４及び表示部１５の画像の画像データが記憶されており、システム制御部１２は、かかる画像データを読み出して表示パネル部７の表示画面に表示するようになっている。
【００５１】
図９は、表示パネル部７の表示画面に表示された車両側の操作部及び表示部の画像表示例を示す図である。図９に示すように、表示パネル部７の表示画面Ｇには、図７に示す車両側に設けられた操作部１４に対応する操作部７ｄ、表示部１５に対応する表示部７ｅが表示されている。
【００５２】
このような表示状態において、システム制御部１２は、表示パネル部７の表示画面Ｇに表示された操作部７ｄにおける各種ボタンへの接触（押下）を、上述のように認識し、その情報（操作部７ｄにおける操作ボタンが押下された情報）を通信バス１６を介して車両ＥＵＣ１３に伝える。車両ＥＵＣ１３におけるＲＯＭには、例えば、操作部１４における各種ボタンと操作部７ｄにおける各種ボタンとが対応付けられたテーブル、及び表示部１５における表示要素と表示部７ｅにおける表示要素とが対応付けられたテーブルが記憶されており、車両ＥＵＣ１３は、これらのテーブルを参照して、例えば、空調制御等を行う。また、この際、車両ＥＵＣ１３は、表示部１５に表示すべき情報（例えば、エアコン表示）を、通信バス１６を介してシステム制御部１２に伝える。システム制御部１２は、かかる情報を受けて、この情報を表示パネル部７の表示画面Ｇにおける表示部７ｅに表示するように制御する。
【００５３】
このように、車両側に設けられた計器パネル等における操作部１４及び表示部１５が、表示パネル部７の可動に起因して隠れるようになる場合についても、ＡＶナビ装置Ｓに設けられた操作部９及び表示部１０が隠れるようになる上記実施形態と同様の効果を得ることができる。
【００５４】
なお、上記実施形態における図５（又は図９）の例では、操作部９及び表示部１０（又は操作部１４及び表示部１５）の外観と同一の外観を有する操作部７ａ及び表示部７ｂ（又は、操作部７ｄ及び表示部７ｅ）を表示パネル部７の表示画面Ｇ上に表示するように構成したが、これに限定されるものではなく、操作部９及び表示部１０（又は、操作部１４及び表示部１５）の機能が実現するものであれば、操作部７ａ及び表示部７ｂ（又は、操作部７ｄ及び表示部７ｅ）の外観は、操作部９及び表示部１０（又は、操作部１４及び表示部１５）の外観と同一でなくともよい。例えば、操作部９及び表示部１０（又は、操作部１４及び表示部１５）の外観を部分的に変更（例えば、デザインの変更）して全体として類似するものであってもよいし、図１０に示すように、操作部７ａ及び表示部７ｂ（図示しないが、操作部７ｄ及び表示部７ｅについても同様）を小さくし（ボタンの形状を変えて）表示画面Ｇの左下部に表示させるように構成してもよい。また、例えば、ＡＶナビ装置Ｓが、１ｄｉｎサイズ（約５０ｍｍ（Ｈ）×１７８ｍｍ（Ｗ）  ）対応の場合、操作部９及び表示部１０は、小型のものしか配置できないが、この場合に、表示画面Ｇ上表示される操作部７ａ及び表示部７ｂを、実際の操作部９及び表示部１０より大きく表示するように構成すれば、操作性をも向上させることができる。
【００５５】
また、上記実施形態において、表示パネル部７の表示画面Ｇ上に既に表示されている地図情報等に重畳させて操作部７ａ及び表示部７ｂ（又は、操作部７ｄ及び表示部７ｅ）を表示させるように構成してもよい。また、上記実施形態において、表示パネル部７の表示画面Ｇ上に既に表示されている地図情報等の表示範囲を圧縮して表示画面Ｇ上に空き領域を形成し、その形成された空き領域に操作部７ａ及び表示部７ｂ（又は、操作部７ｄ及び表示部７ｅ）を表示させるように構成してもよい。これらの場合、システム制御部１２は、例えば、ナビゲーション部２からの映像信号とともに記憶部１１に記憶されている画像データを描画処理部６に出力するようにソース切換部４を制御する。そして、描画処理部６は、出力された映像信号と画像データをともに表示パネル部７の表示画面上Ｇに表示すべく描画処理する。なお、表示画面Ｇ上において地図情報等に画像データを重畳表示させるか、または地図情報等と画像データとを分割表示させるか等を、例えば、使用者の指令により変更できる構成にしてもよい。さらに、操作部９及び表示部１０（又は、操作部１４及び表示部１５）の何れか一方の機能を表示パネル部７の表示画面Ｇ上で実現させるように構成してもよい。この場合、システム制御部１２は、記憶部１１に記憶されている操作部の画像データ及び表示部の画像データのいずれかを出力すべくソース切換部４を制御する。例えば、可動制御部８からの出力される信号により表示パネル部７の可動状態を認識して、その表示パネル部７により隠されるものが操作部か、または表示部かを判断する。そして、表示部のみ隠される状態にある場合には表示部の画像データのみを記憶部１１から出力すべくソース切換部４を制御する。これは、表示パネル部７の可動状態により隠されるものが何かを予めデータとして準備しておくことにより実現可能となる。
【００５６】
また、上記実施形態においては、操作部９及び表示部１０（又は、操作部１４及び表示部１５）の全部が隠れる場合の例について説明したが、これに限定されるものではなく、表示パネル部７の可動に起因して、操作部９及び表示部１０（又は、操作部１４及び表示部１５）の一部が隠れるようになる場合であっても、操作部９及び表示部１０（又は、操作部１４及び表示部１５）の機能が表示パネル部７の表示画面上で実現されるように構成してもよい。例えば、表示パネル部７の前面の面積が、操作部９及び表示部１０（又は、操作部１４及び表示部１５）の閉める面積に対して小さかった場合が考えられる。
【００５７】
また、上記実施形態においては、表示パネル部７がタッチパネルを有することで表示画面Ｇ上で操作部９（又は、操作部１４）の機能を実現するように構成したが、これに限定されるものではなく、例えば、表示画面Ｇ上に表示された操作部９（又は、操作部１４）を、リモコン（リモートコントロール装置）により操作できるようにして操作部９（又は、操作部１４）の機能を実現することができるように構成してもよい。この場合、リモコンにおける操作ボタンの押下に応じて、それに対応する表示画面Ｇ上における操作ボタンが、ハイライト表示等により押下されたことを明示されるように構成してもよい。
【００５８】
また、上記実施形態においては、表示パネル部７が筐体ＫＫの収納部Ｋに収納される収納式の表示パネル部７をパネル部材の一例として説明したが、これに限定されるものではなく、例えば、回転式の表示パネル部を適用してもよい。回転式の表示パネル部は、例えば、パネル前面に上記実施形態のような表示画面を有し、パネル背面に上記実施形態のような操作部及び表示部を有するもので、ある軸を中心として表示パネル部が回転することにより、乗員側に対向することになる面が、パネル前面とパネル背面とで入れ替わるものである。このような回転式の表示パネル部においても、回転により隠れることになる操作部及び表示部の機能を、表示パネル部の表示画面上で実現するように制御することができる。
【００５９】
また、上記実施形態においては、車載用ＡＶ・ナビゲーション装置に対して本発明を適用した場合について説明したが、これに限定されるものではなく、例えば、車載用ナビゲーション装置、車載用ＡＶ装置、及び家庭用ＡＶ装置等に対して適用してもよい。
【図面の簡単な説明】
【図１】ＡＶナビ装置の概要構成例を示すブロック図である。
【図２】表示パネル部７が筐体の収納部から引き出された場合における表示パネル部７及び筐体の側面図の一例を示す図である。
【図３】筐体前面の外観の一例を示す図である。
【図４】操作部９及び表示部１０の機能を表示パネル部７の表示画面上で実現する場合の実施例１におけるシステム制御部１２の処理例を示すフローチャートである。
【図５】表示パネル部７の表示画面に表示されたＡＶナビ装置Ｓの操作部及び表示部の画像表示例を示す図である。
【図６】操作部９及び表示部１０の機能を表示パネル部７の表示画面上で実現する場合の実施例２におけるシステム制御部１２の処理例を示すフローチャートである。
【図７】表示パネル部７が筐体の収納部から引き出された場合における表示パネル部７、及び筐体の側面図の他の例を示す図である。
【図８】ＡＶナビ装置と車両ＥＣＵ等の概要構成例を示すブロック図である。
【図９】表示パネル部７の表示画面に表示された車両側の操作部及び表示部の画像表示例を示す図である。
【図１０】表示パネル部７の表示画面に表示されたＡＶナビ装置Ｓの操作部及び表示部の画像表示例を示す図である。
【符号の説明】
１  チューナ
２  ナビゲーション部
３  ディスク再生部
４  ソース切換部
５  音声処理部
６  描画処理部
７  表示パネル部
８  可動制御部
９，１４  操作部
１０，１５  表示部
１１  記憶部
１２  システム制御部
Ｇ  表示画面
Ｓ  車載用ＡＶ・ナビゲーション装置
【図１】
2004317637.tif 000003
【図２】
2004317637.tif 000004
【図３】
2004317637.tif 000005
【図４】
2004317637.tif 000006
【図５】
2004317637.tif 000007
【図６】
2004317637.tif 000008
【図７】
2004317637.tif 000009
【図８】
2004317637.tif 000010
【図９】
2004317637.tif 000011
【図１０】
2004317637.tif 000012